(57)【要約】【課題】双眼鏡の眼巾調整を容易に行え、かつ強度上の問題を起こさない双眼鏡の眼巾調整装置を提供する。【解決手段】双眼鏡の眼巾調整装置１０は、中心軸体２１の端部、すなわち眼巾調整ツマミ２２に臨む部位にスライド溝２３を形成し、このスライド溝２３に制限板２４をスライド自在に配置し、この制限板２４に設けた突起ピン２５を、眼巾調整ツマミ２２に設けたガイド孔２６に挿入し、中心軸体２１のねじ孔２７、制限板２４の長孔２８、眼巾調整ツマミ２２の各中心孔２９をそれぞれ一致させ、中心ビス３１を中心孔２９から長孔２８を経てネジ孔２７に差し込み、ねじ孔２７に中心ビス３１をネジ結合することで中心軸体２１の端部に制限板２４及び眼巾調整ツマミ２２を取り付けたものである。【選択図】  図２
2004361693.tif 000002
【特許請求の範囲】
【請求項１】
接眼レンズが設けられた一対のボディを中心軸体で連結し、一対のボディのうちの一方を中心軸体と一体とするとともに、他方を中心軸体に対してスイング移動自在とし、他方のボディを中心軸体に対してスイング移動させることで一対のボディに設けられた接眼レンズの眼巾を調整するようにした双眼鏡の眼巾調整装置であって、
前記中心軸体に眼巾調整ツマミを設け、この眼巾調整ツマミで前記他方のボディのスイング移動を所望の眼巾位置で停止するように規制することを特徴とする双眼鏡の眼巾調整装置。
【請求項２】
前記中心軸体の前記眼巾調整ツマミに臨む部位にスライド溝を形成し、このスライド溝に制限板をスライド自在に配置し、この制限板に設けた突起ピンを、眼巾調整ツマミに設けたガイド孔に挿入し、
前記一対のボディに設けられた接眼レンズの眼巾を調整した後、前記眼巾調整ツマミを回動させることにより前記制限板をスライド溝に沿って移動させ、この制限板に設けられた傾斜面を、前記他方のボディに設けられたストッパピンに当接させることにより、前記眼巾調整ツマミ及び制限板を目的調整位置に保持するように構成したことを特徴とする請求項１に記載の双眼鏡の眼巾調整装置。
【発明の詳細な説明】
【０００１】
【発明の属する技術分野】
本発明は、双眼鏡の眼巾調整装置に関し、特に観察者が一度、観察者自身の眼巾に合わせてセットすると、その位置を容易に再現することができる双眼鏡の眼巾調整装置に関する。
【０００２】
【従来の技術】
一般に、双眼鏡は観測者の眼巾に合わせるため、ある一定範囲で、眼巾を調整できるようになっており、通常の双眼鏡の眼巾調整機構は、その性格上、軸支部を軸に一対の鏡胴体をスムーズにスイング移動させて、使用者の好みの位置に調整可能になるように構成されている（例えば、特許文献１参照。）。
【０００３】
【特許文献１】
実開平０５−０２７７１６号公報（第１１頁、図２）
【０００４】
特許文献１の双眼鏡は、軸支部を軸として、一対の鏡胴体をスムーズにスイング移動可能に構成しているので、使用時に最適の眼巾位置に合わせても、その調整位置は簡単に変化してしまうため、双眼鏡を再び使用するときは、その都度、眼巾調整を行わなければならないという不便さがあった。
この不具合を解消するために、眼巾を調整した段階で、軸支部近傍に設けた固定部材でその調整位置を保持固定するようにした眼巾調整装置も知られている。
【０００５】
【発明が解決しようとする課題】
しかし、上記した一度調整した眼巾を保持固定する眼巾調整装置を備えた双眼鏡は、一般的に操作性が悪く、さらに固定部材近傍には強い力が加わるため、強度上問題があり、この点で実用性が無く、定着性のない技術となっていた。
【０００６】
この発明は、双眼鏡の眼巾調整が容易であり、さらに強度上も問題のない双眼鏡の眼巾調整装置を提供することにより、上述した全ての問題点を解消しようとするものである。
【０００７】
【課題を解決するための手段】
上記目的を達成するために、請求項１記載の発明は、接眼レンズが設けられた一対のボディを中心軸体で連結し、一対のボディのうちの一方を中心軸体と一体とするとともに、他方を中心軸体に対してスイング移動自在とし、他方のボディを中心軸体に対してスイング移動させることで一対のボディに設けられた接眼レンズの眼巾を調整するようにした双眼鏡の眼巾調整装置であって、前記中心軸体に眼巾調整ツマミを設け、この眼巾調整ツマミで前記他方のボディのスイング移動を所望の眼巾位置で停止するように規制することを特徴とする。
【０００８】
本発明に係る双眼鏡の眼巾調整装置によれば、中心軸体に眼巾調整ツマミを設け、この眼巾調整ツマミで他方のボディのスイング移動を所望の眼巾位置で停止できるようにしている。
このため、他方のボディを中心軸体に対してスイング移動させると、他方のボディが予め設定した眼巾位置で自動的に停止し、これにより双眼鏡の眼巾を容易に調整することができる。
また、万が一双眼鏡に強い力がかかった場合には、他方のボディをスイング移動させることで、双眼鏡にかかる強い応力を逃がすことができ、これにより強度上問題のない双眼鏡を得ることができる。
【０００９】
請求項２は、前記中心軸体の前記眼巾調整ツマミに臨む部位にスライド溝を形成し、このスライド溝に制限板をスライド自在に配置し、この制限板に設けた突起ピンを、眼巾調整ツマミに設けたガイド孔に挿入し、前記一対のボディに設けられた接眼レンズの眼巾を調整した後、前記眼巾調整ツマミを回動させることにより前記制限板をスライド溝に沿って移動させ、この制限板に設けられた傾斜面を、前記他方のボディに設けられたストッパピンに当接させることにより、前記眼巾調整ツマミ及び制限板を目的調整位置に保持するように構成したことを特徴とする。
【００１０】
一対のボディに設けられた接眼レンズの眼巾を調整した後は、眼巾調整ツマミを回動して制限板を移動させ、制限板の傾斜面を他方のボディのストッパピンに当接させることで、双眼鏡の眼巾を調整することができ、双眼鏡の眼巾調整を手間をかけないで簡単に行えるようになる。
そして、眼巾調整ツマミ及び制限板を目的調整位置に保持することで、他方のボディを中心軸体に対してスイング移動させると、他方のボディが予め設定していた眼巾位置で自動的に停止する。これにより、双眼鏡の眼巾を容易に調整することができる。
【００１１】
【発明の実施の形態】
以下添付図面に基づいて、本発明に係る双眼鏡の眼巾調整装置の一実施の形態を詳説する。
図１は本発明に係る眼巾調整装置を備えた双眼鏡を示す斜視図、図２は本発明に係る双眼鏡の眼巾調整装置を示す分解斜視図、図３は本発明に係る双眼鏡の眼巾調整装置を示す正面図である。
【００１２】
図１に示すように、双眼鏡１０は、一対のボディ１１，１２にそれぞれ鏡胴体１３，１４を備え、それぞれの鏡胴体１３，１４の前端１３ａ，１４ａに接眼レンズ１５，１６を設けるとともに、それぞれの後端１３ｂ，１４ｂに対物レンズ１７，１８を設け、一対のボディ１１，１２を中心軸体２１（図２参照）で連結している。この一対のボディ１１，１２のうちの、一方のボディ１１を中心軸体２１と一体にするとともに、他方のボディ１２を中心軸体２１に対してスイング移動自在とし、他方のボディ１２を中心軸体２１に対して矢印の方向にスイング移動させることで、一対のボディ１１，１２に設けられた接眼レンズの眼巾Ｓを調整するもので、中心軸体２１には双眼鏡１０の眼巾調整装置２０が備えられている。
ここで眼巾Ｓとは、一対の接眼レンズ１７，１８の中心間の距離のことである。
【００１３】
図２に示すように、双眼鏡１０の眼巾調整装置２０は、中心軸体２１の端部、すなわち眼巾調整ツマミ２２に臨む部位にスライド溝２３を形成し、このスライド溝２３に制限板２４をスライド自在に配置し、この制限板２４に設けた突起ピン２５を、眼巾調整ツマミ２２に設けたガイド孔２６に挿入し、前記中心軸体２１のねじ孔２７、制限板２４の長孔２８、眼巾調整ツマミ２２の各中心孔２９をそれぞれ一致させ、中心ビス３１を中心孔２９から長孔２８を経てネジ孔２７に差し込み、ねじ孔２７に中心ビス３１をネジ結合させることで中心軸体２１の端部に制限板２４及び眼巾調整ツマミ２２を取り付けている。
【００１４】
この中心軸体２１は、他方のボディ１２に臨む側に湾曲凹部３３が形成され、この湾曲凹部３３内に、他方のボディ１２に植設されたストッパピン３４が配置されている。このストッパピン３４は、制限板２４に設けられた傾斜面３６に当接可能なピンである。また制限板２４の傾斜面３６は、湾曲状に形成された凸状の曲面で構成されている。
【００１５】
また、中心軸体２１は、一方のボディ１１側に凹部３７が形成されており、この凹部３７にロックピン３８が嵌合されている。ロックピン３８は、一方のボディ１１に一体に形成されるように植設されている。このため、中心軸体２１を一方のボディ１１と一体化させることができる。
【００１６】
眼巾調整ツマミ２２は、その中心に中心孔２９を設け、円弧状の外周４２に沿って小さな凸部４２ａを連続的に形成したものである。これにより、外周４２を凹凸状に形成し、この凹凸状部に指を当てることで、眼巾調整ツマミ２２を中心ビス３１を中心にして容易に回転させることができる。
【００１７】
この眼巾調整ツマミ２２にはガイド孔２６が形成されており、このガイド孔２６は、眼巾調整ツマミ２２の外周４２に沿って湾曲状に形成され、かつガイド孔２６から眼巾調整ツマミ２２の中心孔２９までの距離が、ガイド孔２６の一端２６ａから他端２６ｂに向かうにしたがって漸次変化するように形成されている。
【００１８】
このため、眼巾調整ツマミ２２を中心ビス３１を軸にして回転させることで、ガイド孔２６で突起ピン２５を眼巾調整ツマミ２２の半径方向（すなわち、矢印Ａ−Ｂ方向）に移動させることになる。
これにより、制限板２４をスライド溝２３に沿ってスライドさせることが可能となる。
【００１９】
次に、双眼鏡の眼巾調整装置２０の作用を図１〜図３に基づいて説明する。
図１に示すように、双眼鏡１０の眼巾調整装置２０の中心ビス３１を緩め、眼巾調整ツマミ２２をフリーの状態として、他方のボディ１２を中心軸体２１に対して矢印の方向にスイング移動させることで、一対のボディ１１，１２に設けられた接眼レンズの眼巾Ｓを調整する。
これにより、図２に示すストッパピン３４が、接眼レンズ１５，１６の眼巾Ｓを調整することになる。
【００２０】
次に、図３に示すように、眼巾調整ツマミ２２を中心ビス３１を軸にして矢印の方向に回転すると、ガイド孔２６が回転して、突起ピン２５が矢印Ａ−Ｂ方向に移動し、制限板２４がスライド溝２３に沿ってスライド移動する。
【００２１】
制限板２４が矢印Ａ−Ｂ方向にスライド移動することで、制限板２４の傾斜面３６がストッパピン３４に当接することになる。これにより、図１に示す接眼レンズ１５，１６の眼巾Ｓを所望位置にセットし、制限板２４の傾斜面３６を位置決めする。
【００２２】
制限板２４の傾斜面３６を位置決めした状態で、中心ビス３１を締め付けて眼巾調整ツマミ２２及び制限板２４を位置決めした位置に確実に保持する。
これにより、眼巾調整装置２０が使用者（図示せず）の眼巾距離Ｓを覚え込んだことになる。
【００２３】
このように眼巾距離Ｓを双眼鏡に覚え込ませた後は、観察者は眼巾Ｓの調整時に、図３に示すストッパピン３４が制限板２４の傾斜面３６に当接するまで、他方のボディ１２をスイング移動させ、ストッパピン３４が傾斜面３６に当接した時点で、他方のボディ１２のスイング移動が止まり、眼巾Ｓを使用者の眼巾に合わせることができるようになる。
このため、観察者は、面倒な眼巾調整作業から開放され、最適の眼巾Ｓで双眼鏡１０を使用することができる。
【００２４】
もちろん、観察者が変わった場合には、上述した眼巾調整を再度行うことにより、その人に合った眼巾Ｓに変更させることができる。
また、眼巾調整ツマミ２２をフリーにしておけば、眼巾調整機能を普通の双眼鏡と同じ状態にすることができる。これにより、実用性の高い双眼鏡１０を得ることができる。
【００２５】
以上説明したように、双眼鏡の眼巾調整装置２０によれば、中心軸体２１に眼巾調整ツマミ２２を設け、この眼巾調整ツマミ２２で他方のボディ１２のスイング移動を所望の眼巾Ｓ位置で自動的に停止するように規制できる。このため、他方のボディ１２を中心軸体２１に対してスイング移動させると、他方のボディ１２が予め設定していた眼巾Ｓ位置で確実に自動停止し、双眼鏡１０の眼巾Ｓを極めて容易に調整できるようになる。
【００２６】
また、万が一双眼鏡１０に強い応力がかかった場合には、他方のボディ１２をスイング移動させることで、双眼鏡１０にかかった強い応力を逃がすことができ、強度上問題のない安全な双眼鏡１０を得ることができる。
【００２７】
なお、一対のボディ１１，１２、中心軸体２１、眼巾調整ツマミ２２、スライド溝２３や制限板２４の形状は、前記実施の形態で説明した形状に限定されるものではなく、適宜変更することが可能である。
【００２８】
【発明の効果】
以上述べたように、請求項１による双眼鏡の眼巾調整装置によれば、中心軸体に眼巾調整ツマミを設け、この眼巾調整ツマミで他方のボディのスイング移動を所望の眼巾位置で自動停止するように規制できる。
このため、他方のボディを中心軸体に対してスイング移動すると、他方のボディが予め設定していた眼巾位置で自動停止し、双眼鏡の眼巾を極めて容易に調整できるようになる。
【００２９】
また、万が一双眼鏡に強い応力がかかった場合には、他方のボディをスイング移動させることで、双眼鏡にかかった強い応力を逃がすことができ、強度上問題のない安全な双眼鏡を得ることができる。
これにより、面倒な眼巾調整作業を行う必要がなく、使い勝手に優れた双眼鏡を得ることができる。
【００３０】
請求項２は、一対のボディに設けられた接眼レンズの眼巾を調整した後、眼巾調整ツマミを回動して制限板を移動させ、制限板の傾斜面を他方のボディのストッパピンに当接させることで、双眼鏡の眼巾を簡単確実に調整することができるという効果がある。
【００３１】
そして、眼巾調整ツマミ及び制限板を目的調整位置に保持することで、他方のボディを中心軸体に対してスイング移動させると、他方のボディが予め設定していた眼巾位置で自動停止するので、双眼鏡の眼巾を極めて容易に調整することができる効果がある。
【図面の簡単な説明】
【図１】本発明に係る眼巾調整装置を備えた双眼鏡を示す斜視図である。
【図２】本発明に係る双眼鏡の眼巾調整装置を示す分解斜視図である。
【図３】本発明に係る双眼鏡の眼巾調整装置を示す正面図である。
【符号の説明】
１０…双眼鏡
１１…一方のボディ
１２…他方のボディ
１５，１６…接眼レンズ
１７，１８…対物レンズ
２０…双眼鏡の眼巾調整装置
２１…中心軸体
２２…眼巾調整ツマミ
２３…スライド溝
２４…制限板
２５…突起ピン
２６…ガイド孔
３４…ストッパピン
Ｓ…接眼レンズの眼巾
【図１】
2004361693.tif 000003
【図２】
2004361693.tif 000004
【図３】
2004361693.tif 000005